(57)【要約】  本発明は、エチレンオキシド、プロピレンオキシド、ブチレンオキシド、ペンチレンオキシド、スチレンオキシド、シクロヘキシレンオキシド、及び／又はデシレンオキシドでアルコキシル化された２−プロピルヘプチルアミン、又はその４級化誘導体に基づくアルコキシレートを、洗浄組成物中に、乳化剤として、ファイバーの製造に、革処理に、印刷インクに、建設化学用の処方物中に、又はフローテション用の処方物中に使用する方法に関する。更に、本発明は、少なくとも１種の、記載されたアルコキシレート、及び少なくとも１種の界面活性剤を含む混合物に関し、及びその使用方法に関する。【特許請求の範囲】
【請求項１】
一般式（Ａ）
【化１】
2013539474.tif 000004
のアルコキシレート、又は一般式（ＡＱ）
【化２】
2013539474.tif 000005
の四級化したアルコキシレート
（但し、
Ｒ１、Ｒ２が、相互に独立して、エチレン、プロピレン、ブチレン、ペンチレン、フェニルエチレン、シクロヘキシレン、デシレン、及びこれらの混合物から成る群から選ばれ、Ｒ３が、Ｈ、−ＯＨ、−ＯＲ４、−［Ｒ５−Ｏ］ｐ−Ｒ６、Ｃ１−Ｃ６−アルキル、又は酸素アニオンであり、
Ｒ４が、Ｃ１−Ｃ６−アルキル、Ｃ２−Ｃ６−アルケニル、又はＣ２−Ｃ６−アルキニルであり、
Ｒ５が、相互に独立して、エチレン、プロピレン、ブチレン、及びこれらの混合物から成る群から選ばれ、
Ｒ６が、相互に独立して、−Ｈ、Ｃ１−Ｃ６−アルキル、Ｃ２−Ｃ６−アルケニル、Ｃ２−Ｃ６−アルキニル、−ＳＯ３Ｒａ、−Ｐ（Ｏ）ＯＲｂＯＲｃ、−ＣＨ２ＣＯ２Ｒｄ、又は−Ｃ（Ｏ）Ｒｅであり、
Ｒａ、Ｒｄが、相互に独立して、Ｈ、有機又は無機カチオンであり、
Ｒｂ、Ｒｃが、相互に独立して、Ｈ、有機又は無機カチオン、Ｃ１−Ｃ６−アルキル、Ｃ２−Ｃ６−アルケニル、又はＣ２−Ｃ６−アルキニルであり、
Ｒｅが、Ｃ１−Ｃ２２−アルキル、Ｃ２−Ｃ２２−アルケニル、又はＣ２−Ｃ２２−アルキニル、Ｃ５−Ｃ２２−アリール、Ｃ６−Ｃ２２−アルキルアリールであり、
ｍ、ｎ、ｐが、相互に独立して、１〜３０の整数であり、及び
Ａ−が、アニオンであり、ここでＲ３が酸素原子の場合には、Ａは存在しない）
を、洗浄組成物中に、さび除去剤として、乳化剤として、ファイバーの製造に、革処理に、印刷インクに、建設化学用の処方物中に、又はフローテション用の処方物中に使用する方法。
【請求項２】
Ｒ１、Ｒ２、及びＲ５が、相互に独立して、エチレン、エチレン及びプロピレン、エチレン及びブチレン又はエチレン、プロピレン及びブチレンであることを特徴とする請求項１に記載の方法。
【請求項３】
一般式（ＡＱ）のアルコキシレートで、Ａ−が、ハロゲン化物、フォスフェイト、サルフェート、カルボキシレート、又はこれらの混合物から成る群から選ばれることを特徴とする請求項１又は２に記載の方法。
【請求項４】
Ｒ３がＨであることを特徴とする請求項１〜３の何れか１項に記載の方法。
【請求項５】
一般式（Ａ）のアルコキシレートで、ｎ及びｍの合計が２〜４０であることを特徴とする請求項１〜４の何れか１項に記載の方法。
【請求項６】
一般式（ＡＱ）のアルコキシレートで、ｎ及びｍ及びｐの合計が３〜８０であることを特徴とする請求項１〜４の何れか１項に記載の方法。
【請求項７】
少なくとも以下の成分：
（Ａ）成分（Ａ）として、請求項１〜６の何れか１項に定義された一般式（Ａ）及び／又は（ＡＱ）の、少なくとも１種のアルコキシレート、及び
（Ｂ）成分（Ｂ）として、少なくとも１種の界面活性物質、及び／又は
（Ｃ）成分（Ｃ）として、少なくとも１種の有機カルボン酸、
を含むことを特徴とする混合物。
【請求項８】
少なくとも１種のアニオン性界面活性剤、少なくとも１種のカチオン性界面活性剤、少なくとも１種の非イオン性の界面活性剤、及び／又は少なくとも１種の両性の界面活性剤が、成分（Ｂ）として存在することを特徴とする請求項７に記載の混合物。
【請求項９】
少なくとも１種の有機カルボン酸が、１２〜１８個の炭素原子を有する脂肪酸、１〜１０個の炭素原子を有するモノカルボン酸、２〜１６個の炭素原子を有するジカルボン酸、及びこれらの混合物から成る群から選ばれることを特徴とする請求項７又は８に記載の混合物。
【請求項１０】
有機又は無機塩基、無機酸、シリコーンオイル、ワックス、イミダゾリウム塩、及びこれらの混合物から成る群から選ばれる、更なる成分が存在することを特徴とする請求項７〜９の何れか１項に記載の混合物。
【請求項１１】
水性混合物であることを特徴とする請求項７〜１０の何れか１項に記載の混合物。
【請求項１２】
請求項７〜１１の何れかに記載の混合物を、洗浄組成物中に、乳化剤として、ファイバーの製造に、革処理に、印刷インクに、建設化学用の処方物中に、又はフローテション用の処方物中に使用する方法。
【発明の詳細な説明】
【技術分野】
【０００１】
本発明は、エチレンオキシド、プロピレンオキシド、ブチレンオキシド、ペンチレンオキシド、スチレンオキシド、シクロヘキシレンオキシド、及び／又はデシレンオキシドでアルコキシル化された２−プロピルヘプチルアミン、及び／又はその４級化誘導体に基づくアルコキシレートを、洗浄組成物に、乳化剤として、ファイバーの製造に、革の処理のために、印刷インクに、建設化学用の処方物中に、又はフローテション用の処方物中に使用する方法に関する。更に本発明は、少なくとも１種の上述したアルコキシレート、及び少なくとも１種の界面活性物質を含む混合物、及びその使用方法に関する。
【背景技術】
【０００２】
アルコキシル化されたアルキルアミンに基づく組成物は、従来技術から既に公知である。
【０００３】
特許文献１（ＷＯ２００９／００４０４４Ａ１）には、界面活性剤に使用可能な、非対称的にアルコキシル化されたアルキルアミンが開示されている。この非対称的にアルコキシル化されたアルキルアミンは、１〜４個の炭素原子を有する、対応するアルキルアミン、又はベンジルアミンに基づいている。エチレンオキシド、プロピレンオキシド、及び／又はブチレンオキシドの１〜３０単位がアルコキシル化に加えられる。  特許文献１（ＷＯ２００９／００４０４４Ａ１）は更に、これらの化合物が除草効果を有する組成物に使用することができることを開示している。
【０００４】
特許文献２（ＵＳ５６６８０８５）には、アルコキシル化されたアミンを含む、界面活性化合物が開示されている。これらのアルコキシレートは、８〜２２個の炭素原子を有し、及びエチレンオキシド、又はプロピレンオキシドのアルコキシル化によって得られるアルキルアミン、又はアルケニルアミンに基づいている。特許文献２（ＵＳ５６６８０８５）によれば、合計して２〜８個の、上述したアルキレンオキシドの単位が化合物中に存在する。
【先行技術文献】
【特許文献】
【０００５】
【特許文献１】ＷＯ２００９／００４０４４Ａ１
【特許文献２】ＵＳ５６６８０８５
【発明の概要】
【発明が解決しようとする課題】
【０００６】
従って本発明の目的は、種々の技術的用途に使用することができ、及び有利な結果を得ることができるアルコキシレートを提供することにある。更に本発明の目的は、毒性が低く、特に液体毒性(aquatoxicity)が低い、対応するアルコキシレートを使用することにある。
【課題を解決するための手段】
【０００７】
この目的は、本発明に従い、一般式（Ａ）
【０００８】
【化１】
2013539474.tif 000002
のアルコキシレート、又は一般式（ＡＱ）
【０００９】
【化２】
2013539474.tif 000003
の四級化したアルコキシレート
（但し、
Ｒ１、Ｒ２が、相互に独立して、エチレン、プロピレン、ブチレン、ペンチレン、フェニルエチレン、デシレン、及びこれらの混合物から成る群から選ばれ、
Ｒ３が、Ｈ、−ＯＨ、−ＯＲ４、−［Ｒ５−Ｏ］ｐ−Ｒ６、Ｃ１−Ｃ６−アルキル、又は酸素アニオンであり、
Ｒ４が、Ｃ１−Ｃ６−アルキル、Ｃ２−Ｃ６−アルケニル、又はＣ２−Ｃ６−アルキニルであり、
Ｒ５が、相互に独立して、エチレン、プロピレン、ブチレン、及びこれらの混合物から成る群から選ばれ、
Ｒ６が、相互に独立して、−Ｈ、Ｃ１−Ｃ６−アルキル、Ｃ２−Ｃ６−アルケニル、Ｃ２−Ｃ６−アルキニル、−ＳＯ３Ｒａ、−Ｐ（Ｏ）ＯＲｂＯＲｃ、−ＣＨ２ＣＯ２Ｒｄ、又は−Ｃ（Ｏ）Ｒｅであり、
Ｒａ、Ｒｄが、相互に独立して、Ｈ、有機又は無機カチオンであり、
Ｒｂ、Ｒｃが、相互に独立して、Ｈ、有機又は無機カチオン、Ｃ１−Ｃ６−アルキル、Ｃ２−Ｃ６−アルケニル、又はＣ２−Ｃ６−アルキニルであり、
Ｒｅが、Ｃ１−Ｃ２２−アルキル、Ｃ２−Ｃ２２−アルケニル、又はＣ２−Ｃ２２−アルキニル、Ｃ５−Ｃ２２−アリール、Ｃ６−Ｃ２２−アルキルアリールであり、
ｍ、ｎ、ｐが、相互に独立して、１〜３０の整数であり、及び
Ａ−が、アニオンであり、ここでＲ３が酸素原子の場合には、Ａは存在しない）
を、洗浄組成物中に、さび除去剤として、乳化剤として、ファイバーの製造に、革処理に、印刷インクに、建設化学用の処方物中に、又はフローテション用の処方物中に使用する方法によって達成される。
【００１０】
更にこの目的は、少なくとも以下の成分：
（Ａ）成分（Ａ）として、本発明の一般式（Ａ）及び／又は（ＡＱ）の、少なくとも１種のアルコキシレート、及び
（Ｂ）成分（Ｂ）として、少なくとも１種の界面活性物質、及び／又は
（Ｃ）成分（Ｃ）として、少なくとも１種の有機カルボン酸、
を含むことを特徴とする混合物によって達成される。
【発明を実施するための形態】
【００１１】
本発明に従い使用される一般式（Ａ）及び（ＡＱ）の化合物について、以下に詳細に記載する。
【００１２】
ｎは、好ましくは１〜２０、特に好ましくは１〜１５の値である。ｍは、好ましくは１〜２０、特に好ましくは１〜１５の値である。ｐは、好ましくは１〜３０の値、特に好ましくは１〜２０の値である。ｎ、ｍ及びｐは、（たいていの場合、アルコキシドのアルコキシル化の間に生じる）通常平均値である。この結果、ｎ、ｍ及びｐは種々の整数値、及び整数値の間の全ての値を有することができる。
【００１３】
好ましくは、アミンアルコキシレート（Ａ）中では、ｎ及びｍの合計は２〜４０である。更なる好ましい実施の形態では、一般式（ＡＱ）の４級化されたアミンアルコキシレート中、ｎ、ｍ及びｐの合計は、３〜８０である。
【００１４】
アミンアルコキシレート（Ａ）中で、ｎ及びｍの合計は、特に好ましくは３〜３０、極めて好ましくは５〜２５である。更なる特に好ましい実施の形態では、ｎ及びｍの合計は、６〜９、極めて好ましくは６．５〜８．５、及び特に６．９〜７．９である。更なる特に好ましい実施の形態では、ｎ及びｍの合計は、特に１２〜３０、及び特に１３．５〜２５である。
【００１５】
一般式（ＡＱ）のアルコキシレートでは、ｎ、ｍ及びｐの合計は、特に好ましくは３〜４０、及び特に５〜２５である。
【００１６】
Ｒ１、Ｒ２及び、Ｒ５は通常、互いに独立して、エチレン、プロピレン、ブチレン、ペンチレン、フェニルエチレン、デシレン、及びこれらの混合物である。一般式（Ａ）及び（ＡＱ）中のＲ１、Ｒ２及び、Ｒ５についてのこれらの意味は、２−プロピルヘプチルアミンがエチレンオキシド、プロピレンオキシド、ブチレンオキシド、ペンチレンオキシド、スチレンオキシド、デシレンオキシド、又はこれらの混合物と反応しているという事実を引き合いに出すものである。
【００１７】
Ｒ１、Ｒ２及び、Ｒ５は好ましくは、互いに独立して、エチレン、エチレン及びプロピレン、エチレン及びブチレン又はエチレン、プロピレン及びブチレンから選ばれる。特に好ましい実施の形態では、Ｒ１、Ｒ２及び、Ｒ５はプロピレンである。更なる好ましい実施の形態では、Ｒ１、Ｒ２及び、Ｒ５はブチレンである。特に好ましくは、Ｒ１、Ｒ２及び、Ｒ５は相互に独立して、エチレン又はエチレン及びプロピレンである。極めて好ましくは、Ｒ１、Ｒ２及び、Ｒ５はエチレンである。
【００１８】
Ｒ１、Ｒ２及び、Ｒ５がブチレン基を含む場合、これは、ｎ−ブチレン、イソブチレン、及び／又は２，３−ブチレン基として存在しても良く、ここでｎ−ブチレン及びイソブチレンが好ましく、そしてｎ−ブチレンが最も好ましい。
【００１９】
Ｒ１、Ｒ２及び、Ｒ５は、互いに独立して、エチレン、プロピレン又はブチレンの混合物であることができる。ここで、例えば一つ又は全ての基Ｒ１、Ｒ２及び、Ｒ５が各場合において、これらの基の混合物を、一つのアルコキシレート鎖内に有することができる。このような混合物は一緒に、任意の順序、例えばランダムに、又はブロック状に、例えばエチレンの１ブロック、及びプロピレンの１ブロックで結合することができる。１つ以上の基Ｒ１、Ｒ２及び、Ｒ５について、各場合において、異なるアルキレン基から、完全なアルコキシレート鎖を形成することも可能である。例えば、Ｒ１及びＲ２はエチレンから成り、Ｒ５はプロピレンから成ることができる。
【００２０】
Ｒ３は、好ましくは、Ｈ、Ｃ１−Ｃ４−アルキル、又は酸素アニオン、特に好ましくはＨ、メチル、ブチル、又は酸素アニオンである。特に好ましい実施の形態では、Ｒ３はメチルである。更なる特に好ましい実施の形態では、Ｒ３は酸素アニオンである。更なる特に好ましい実施の形態では、Ｒ３はＨである。
【００２１】
Ｒ４は、好ましくはＣ１−Ｃ６−アルキル、特にメチル、又はブチル、例えばｎ−ブチル、イソブチル、及び／又はｔｅｒｔ−ブチル、特にメチルである。
【００２２】
Ｒ６は、好ましくはＨ、又はＣ１−Ｃ６−アルキル、特に好ましくはＨ又はメチル、特にＨである。
【００２３】
Ｒａ及びＲｄは、互いに独立して、Ｈ＋、又は（単一又は複数の正の電荷を有しても良い）無機又は有機カチオンである。無機カチオンの例は、Ｎａ＋、Ｋ＋、Ｍｇ２＋、Ｃａ２＋、又はＺｎ２＋のカチオンである。有機カチオンの例は、アンモニウム、メチルアンモニウム、ジメチルアンモニウム、トリメチルアンモニウム、テトラメチルアンモニウム、（２−ヒドロキシメチル）アンモニウム、ビス（２−ヒドロキシエチル）アンモニウム、トリス（２−ヒドロキシエチル）アンモニウム、テトラ（２−ヒドロキシエチル）アンモニウムである。好ましくは、Ｒａ及びＲｄは、互いに独立して、Ｈ＋、又は無機カチオン、特に好ましくは上述したものである。Ｒ６において規定した（Ｒａ及びＲｄを含む）基は、全面的に変化しないことが好ましい。
【００２４】
Ｒｂ及びＲｃは、好ましくは、互いに独立して、Ｈ＋、無機又は有機カチオンである。適切な無機、又は有機カチオンは、Ｒａ及び／又はＲｄで規定したものである。
【００２５】
Ｒｅは、好ましくはＣ１−Ｃ１２−アルキル、Ｃ５−Ｃ１２−アリール、又はＣ６−Ｃ１２−アルキルアリール、特に好ましくはＣ１−Ｃ６−アルキル、例えばメチル、エチル、プロピル、例えばｎ−プロピル、イソプロピル、ブチル、例えばｎ−ブチル、イソブチル、ｔｅｒｔ−ブチル、ペンチル、例えばｎ−ペンチル、イソペンチル、ｔｅｒｔ−ペンチル、又はヘキシル、例えばｎ−ヘキシル、イソヘキシル、ｔｅｒｔ−ヘキシルである。
【００２６】
Ａ−は、この技術分野の当業者にとって公知のアニオンである。好ましくはＡ−は、ハロゲン化物、例えば、クロリド、又はブロミド、フォスフェート、サルフェート、カルボキシレート、好ましくは６〜２０個の炭素原子を有するカルボン酸から誘導されるもの、又はこれらの混合物である。全体として、一般式（ＡＱ）の化合物はこの場合、非荷電である。
【００２７】
Ｒ３が酸素アニオンである場合、（ひとつの）アミンオキシドが存在する。この場合、更なるアニオンＡ−は存在せず、及び一般式（ＡＱ）の化合物は、全体として非荷電である。
【００２８】
一般式（Ａ）に従うアルコキシレート中、Ｒ１及びＲ２は好ましくは、互いに独立して、エチレン、エチレン及びプロピレン、エチレン及びブチレン又はエチレン、プロピレン及びブチレンであり、及びｎ及びｍの合計が、２〜６０、好ましくは２〜４０、特に好ましくは３〜３０、及び特に５〜２５である。
【００２９】
更なる好ましい実施の形態では、一般式（Ａ）に従うアルコキシレート中、Ｒ１及びＲ２は、エチレン、エチレン及びプロピレン、エチレン及びブチレン又はエチレン、プロピレン及びブチレンであり、及びｎ及びｍの合計が、６〜９、好ましくは６．５〜８．５、特に好ましくは６．９〜７．９である。
【００３０】
更なる好ましい実施の形態では、一般式（Ａ）に従うアルコキシレート中、Ｒ１及びＲ２は、エチレン、エチレン及びプロピレン、エチレン及びブチレン又はエチレン、プロピレン及びブチレンであり、及びｎ及びｍの合計が、１１〜４０、特に１２〜３０、及び特に１３．５〜２５である。
【００３１】
一般式（Ａ）のアミンアルコキシレート中、Ｒ１及びＲ２は、特に好ましくは、エチレンであり、及びｎ及びｍの合計が、２〜６０、好ましくは２〜４０、特に３〜３０、及び特に５〜２５である。更なる特に好ましい実施の形態では、Ｒ１及びＲ２はエチレンであり、及びｎ及びｍの合計が、６〜９、特に６．５〜８．５、及び特に６．９〜７．９である。更なる好ましい実施の形態では、Ｒ１及びＲ２はエチレンであり、及びｎ及びｍの合計が、１１〜４０、特に１２〜３０、及び特に１３．５〜２５である。
【００３２】
一般式（Ａ）及び（ＡＱ）の化合物は、立体異性体の混合物又は単離された立体異性体である。互変異性体及びベタインが同様に、構造（Ａ）及び（ＡＱ）によって、本発明に従い含まれる。
【００３３】
一般式（Ａ）及び（ＡＱ）の化合物中、基Ｃ５Ｈ１１は、直鎖状であっても、又は枝分かれしていても良い。枝分かれしたＣ５Ｈ１１基は例えば、１−メチルブチル、２−メチルブチル、３−メチルブチル、１，２−ジメチルプロピル、２，３−ジメチルプロピル、１，１−ジメチルプロピル、又は２，２−ジメチルプロピルである。
【００３４】
更に、一般式（Ａ）及び（ＡＱ）の化合物中、基Ｃ３Ｈ７は、直鎖状であっても、又は枝分かれしていても良い。枝分かれしたＣ３Ｈ７基は例えば、１−メチルエチルである。
【００３５】
一般式（Ｑ）又は（ＡＱ）の化合物は例えば、２−プロピルヘプチルアミンとエチレンオキシド、プロピレンオキシド、ブチレンオキシド、又はこれらの混合物のアルコキシル化を含む。２−プロピルヘプチルアミンの製造（調製）は一般に公知であり、例えば、ＵＳ５８０８１５８に記載されているように、アンモニアと２−プロピルヘプタノールを反応させることによって行われる。アルコキシル化は、強塩基、例えばアルカリ金属ヒドロキシド、及びアルカリ土類ヒドロキシド、ブレンステッド酸、又はルイス酸、例えばＡｌＣｌ３、ＢＦ３によって触媒作用を及ぼすことができる。分布の狭いアルコールアルコキシレートのために、ヒドロタルサイト、又はＤＭＣ等の触媒を使用することができる。アルコキシル化は、約８０〜２５０℃、好ましくは約１００〜２２０℃の範囲の温度で行われることが好ましい。圧力は、好ましくは、周囲圧力〜６００バールの範囲である。所望により、アルキレンオキシドは、例えば約５〜６０％の不活性ガス混合物を含むことができる。
【００３６】
アミンアルコキシレート（Ａ）の４級化した誘導体（ＡＱ）は、更なる反応工程で、４級化することによってアミンアルコキシレート（Ａ）から製造することができる。基Ｒ３をアミンアルコキシレート（Ａ）に導入するために、これは例えば、アルキル化試薬、例えばメチルクロリド、ジメチルサルフェート、又はブチルクロリドと反応させることができる。酸素アニオンをアミンアルコキシレート（Ａ）に導入するために、例えば、アミノ基を過酸化水素、過酸、例えばメタ−クロロペル安息香酸、又は過酢酸、又はペルオキソモノ硫酸と反応させることによって、これを酸化させることができる。（Ｒ３＝Ｈである）４級化された誘導体（ＡＱ）の製造は、構造（Ａ）の出発材料の単純なプロトン化によって行うことができる。（Ｒ３＝ＯＨである）４級化された誘導体（ＡＱ）の製造は、（Ｒ３＝酸素アニオンである）出発化合物（ＡＱ）の単純なプロトン化によって行うことができる。プロトン化のために適切な酸は、有機酸、例えばＣ１〜Ｃ２０カルボン酸、例えば、本発明に従う混合物の成分（Ｃ）として規定されるカルボン酸、又は無機酸、例えば塩酸、リン酸、又は硫酸である。プロトン化は、分離された（個別の）合成工程で行うことができ、これにより４級化された誘導体（ＡＱ）を単離することができる。出発化合物を、本発明に従う混合物中の１種以上の酸と混合することよって、プロトン化を行うこともできる。
【００３７】
本発明は、一般式（Ａ）及び／又は一般式（ＡＱ）の上述したアルコキシレートを、洗浄組成物中に、さび除去剤として、乳化剤として、ファイバーの製造に、革処理に、印刷インクに、建設化学用の処方物中に、又はフローテション用の処方物中に使用する方法に関する。
【００３８】
本発明に従う洗浄組成物の例は、例えば、硬質表面、例えばガラス、金属、プラスチック、塗装金属、又はプラスチック表面、例えば自動車、大型トラック用の洗浄組成物、全目的洗浄剤、又は金属洗浄用の洗浄組成物である。これらの洗浄組成物中には、一般式（Ａ）又は（ＡＱ）の化合物が、各場合において合計処方物に対して、例えば０．１〜２０質量％、好ましくは０．５〜１０質量％、特に好ましくは０．５〜５質量％の量で存在する。
【００３９】
一般式（Ａ）及び／又は（ＡＱ）の規定した化合物を、さび除去剤として使用することができる、例となる処方物は、例えば、金属表面、特に鉄表面からさびを除去するための処方物である。さび除去用の、これらの処方物中で、一般式（Ａ）又は（ＡＱ）の化合物は、各場合において、合計処方物に対して例えば、０．１〜２０質量％、好ましくは０．５〜１０質量％、特に好ましくは０．５〜５質量％の量で存在する。
【００４０】
一般式（Ａ）及び／又は（ＡＱ）の規定した化合物を、乳化剤として使用することができる、例となる処方物は、例えば、冷却潤滑剤、ワックス、ビチューメンエマルジョン、シリコーンエマルジョン、特にテキスタイル用途のもの、例えば感覚を改良するためのもの（ソフト化／仕上げ）である。乳化剤として、一般式（Ａ）又は（ＡＱ）の化合物は、各場合において、合計処方物に対して例えば、０．１〜２０質量％、好ましくは０．５〜１０質量％、特に好ましくは０．５〜５質量％の量で存在する。
【００４１】
革処理の間、上述した化合物は、例えば脱脂のために使用される。革処理用の処方物中に、一般式（Ａ）又は（ＡＱ）の化合物は、各場合において、合計処方物に対して例えば、０．１〜２０質量％、好ましくは０．５〜１０質量％、特に好ましくは０．５〜５質量％の量で存在する。
【００４２】
印刷インクでは、上述した化合物は、例えば水ベースのインク−ジェット印刷インク中に使用される。印刷インク中に、一般式（Ａ）又は（ＡＱ）の化合物は、各場合において、合計処方物に対して例えば、０．１〜２０質量％、好ましくは０．５〜１０質量％、特に好ましくは０．５〜５質量％の量で存在する。
【００４３】
建設化学(construction chemistry)用の処方物では、上述した化合物は、例えばビチューメンエマルジョン中に使用される。建設化学中に使用されるこれらの処方物中に、一般式（Ａ）又は（ＡＱ）の化合物は、各場合において、合計処方物に対して例えば、０．１〜２０質量％、好ましくは０．５〜１０質量％、特に好ましくは０．５〜５質量％の量で存在する。
【００４４】
フローテーション用の処方物では、上述した化合物は、例えば印刷インクを除去（脱インク）するために使用される。フローテーションのための方法と処方物は、それ自体、この技術分野の当業者にとって公知である。フローテーションのためのこれらの処方物中には、一般式（Ａ）又は（ＡＱ）の化合物は、各場合において、合計処方物に対して例えば、０．１〜２０質量％、好ましくは０．５〜１０質量％、特に好ましくは０．５〜５質量％の量で存在する。
【００４５】
更に本発明は、少なくとも以下の成分：
（Ａ）成分（Ａ）として、上記に定義された一般式（Ａ）及び／又は（ＡＱ）の、少なくとも１種のアルコキシレート、及び
（Ｂ）成分（Ｂ）として、少なくとも１種の界面活性物質、及び／又は
（Ｃ）成分（Ｃ）として、少なくとも１種の有機カルボン酸、
を含むことを特徴とする混合物に関する。
【００４６】
成分（Ａ）：
成分（Ａ）に関して、特に好ましい実施の形態として、一般式（Ａ）及び／又は（ＡＱ）のアルコキシレートについて記載したものが適用可能である。
【００４７】
本発明に従う混合物中で、成分（Ａ）は、それぞれ合計混合物に対して、通常０．１〜２０質量％、好ましくは０．５〜１５質量％、特に好ましくは０．８〜１２質量％の量で存在する。
【００４８】
本発明に従う混合物が、例えば金属の洗浄のために使用される場合、成分（Ａ）は、それぞれ合計混合物に対して、通常０．５〜５質量％、好ましくは０．８〜２質量％の量で存在する。
【００４９】
本発明に従う混合物が、例えばファイバーの製造に使用される場合、成分（Ａ）は、それぞれ合計混合物に対して、通常０．１〜２０質量％、好ましくは０．５〜５質量％の量で存在する。
【００５０】
成分（Ｂ）：
成分（Ｂ）として、少なくとも１種の界面活性物質が、本発明に従う混合物中に存在する。
【００５１】
通常、この技術分野の当業者にとって公知の全ての界面活性物質を、成分（Ｂ）として、本発明に従う混合物中に使用することができる。
【００５２】
好ましい一実施の形態では、少なくとも１種のアニオン性界面活性剤、少なくとも１種のカチオン性界面活性剤、少なくとも１種の非イオン性界面活性剤、及び／又は少なくとも１種の両性の界面活性剤が、成分（Ｂ）として存在する。
【００５３】
本発明に従う適切なアニオン性界面活性剤の例は、アルコールアルフェート／エーテルサルフェート、アルコールフォスフェイト、及びエーテルフォスフェイト、アルキルベンゼンスルホネート、アルファオレフィンスルホネート、スルホスシネート等である。
【００５４】
本発明に従う適切なカチオン性界面活性剤の例は、４級化アンモニウム塩、例えばＮ−アルキルトリメチルアンモニウムクロリド、又はＮ，Ｎ−ジアルキルジメチルアンモニウムクロリド、アミンオキシド、例えばＮ−アルキルジメチルオキシド等である。
【００５５】
本発明に従う適切な非イオン性界面活性剤の例は、アルコールアルコキシレート、アルキルアミドエトキシレート、アルキルポリグルコシド、ＰＯ−ＥＯブロックコポリマー、脂肪酸エトキシレート、植物油エトキシレート等である。
【００５６】
本発明に従う適切な両性界面活性剤の例は、アルキルアミンオキシド、ベタイン等である。
【００５７】
規定した界面活性剤物質を製造するための方法は、この技術分野の当業者にとって公知である。更に、規定した界面活性物質は、市販されている。
【００５８】
本発明に従う特に適切な界面活性物質は、ベンゼンスルホン酸のＣ１０−Ｃ１３−アルキル誘導体のナトリウム塩、１２ＥＯを有するオレイルアミン、ラウリル／ミスチルトリメチルアンモニウムメトサルフェート、及びこれらの混合物から成る群から選ばれる。
【００５９】
本発明に従う混合物中で、成分（Ｂ）は、各場合において合計混合物に対して、通常０．１〜５０質量％、好ましくは１．０〜４０質量％、特に好ましくは１．０〜３０質量％の量で存在する。
【００６０】
本発明に従う混合物が、例えば金属の洗浄のために使用される場合、成分（Ｂ）は、各場合において合計混合物に対して、通常１．０〜２５質量％、好ましくは１．５〜２０質量％の量で存在する。
【００６１】
成分（Ｃ）：
成分（Ｃ）として、本発明に従う混合物中に、任意に少なくとも１種の有機カルボン酸が存在する。
【００６２】
本発明に従う混合物中に、好ましくは、成分（Ａ）及び（Ｂ）、（Ｂ）及び（Ｃ）、又は成分（Ａ）、（Ｂ）及び（Ｃ）が存在する。
【００６３】
本発明に従えば、この技術分野の当業者にとって公知の全てのカルボン酸を、成分（Ｃ）として使用することができる。これらは、好ましくは、例えば１２〜１８個の炭素原子を有する脂肪酸、１〜１０個の炭素原子を有するモノカルボン酸、２〜１６個の炭素原子を有するジカルボン酸、及びこれらの混合物から成る群から選ばれる。
【００６４】
１２〜１８個の炭素原子を有する脂肪酸は、この技術分野の当業者にとって公知である。例は、１２〜１８個の炭素原子を有する飽和、又は不飽和脂肪酸である。
【００６５】
１２〜１８個の炭素原子を有する飽和脂肪酸の例は、ラウリル酸（Ｃ１１Ｈ２３ＣＯＯＨ）、ミリスチン酸（Ｃ１３Ｈ２７ＣＯＯＨ）、Ｃ１４Ｈ２０ＣＯＯＨ、パルミチン酸（Ｃ１５Ｈ３１ＣＯＯＨ）、マルガリン酸（Ｃ１６Ｈ３３ＣＯＯＨ）、ステアリン酸（Ｃ１７Ｈ３５ＣＯＯＨ）である。
【００６６】
１２〜１８個の炭素原子を有する不飽和脂肪酸の例は、ミリストレイン酸（Ｃ１３Ｈ２５ＣＯＯＨ）、パルミトレイン酸（Ｃ１６Ｈ２９ＣＯＯＨ）、ペトロセリン酸（Ｃ１７Ｈ３３ＣＯＯＨ）、オレイン酸（Ｃ１７Ｈ３３ＣＯＯＨ）、エライジン酸（Ｃ１７Ｈ３３ＣＯＯＨ）、バクセン酸（Ｃ１７Ｈ３３ＣＯＯＨ）である。同じ数のカーボンを有する規定した不飽和脂肪酸は、二重結合の位置の点で異なっている。
【００６７】
特に好ましくは、脂肪酸は、（ファイバーの製造に使用される場合には）本発明に従う混合物中に、成分（Ｃ）として存在する。
【００６８】
１〜１０個の炭素原子を有するモノカルボン酸も同様に、この技術分野の当業者にとって公知である。例は、ギ酸、酢酸、プロピオン酸、酪酸、ペンタン酸、ヘキサン酸、ヘプタン酸、オクタン酸、特に２−エチルヘキシルカルボン酸、ノナン酸、又はデカン酸である。
【００６９】
硬質表面の洗浄用に使用される場合には、本発明に従う混合物中にモノカルボン酸が存在することが特に好ましい。
【００７０】
２〜１６個のカーボン原子を有するジカルボン酸も同様に、この技術分野の当業者にとって公知である。
【００７１】
成分（Ｃ）は、本発明に従う混合物中に、合計混合物に対して、通常０．１〜２０質量％、好ましくは２〜１５質量％、特に好ましくは３〜１２質量％の量で存在する。
【００７２】
本発明に従う混合物が、例えば金属の洗浄のために使用される場合、成分（Ｃ）は、各場合において合計混合物に対して、通常１〜１０質量％、好ましくは３〜７質量％の量で存在する。
【００７３】
本発明に従う混合物が、例えばファイバーの製造のために使用される場合、成分（Ｃ）は、各場合において合計混合物に対して、通常０．１〜２０質量％、好ましくは０．５〜１５質量％の量で存在する。
【００７４】
本発明の好ましい実施の形態では、本発明に従う混合物は、水性処方物である。本発明は従って、好ましくは、本発明に従う混合物であって、水性の混合物に関する。従って、好ましい実施の形態では、本発明に従う混合物中に、上述した成分（Ａ）、（Ｂ）及び／又は（Ｃ）に加え、水、好ましくは脱塩した、及び／又は蒸留した水が存在する。各場合において、成分（Ａ）、（Ｂ）及び／又は（Ｃ）、水、及び任意に存在する更なる成分の量は、合計して１００質量％になる。
【００７５】
本発明に従えば、好ましい溶媒水に加えて、有機、好ましくは極性の溶媒も存在しても良い。これらの例はアルコール、及びこれらの混合物である。水に加えて有機溶媒も存在する場合のために、これらは各場合において合計混合物に対して、例えば０．１〜８０質量％の量で存在する。この場合、成分（Ａ）、（Ｂ）及び／又は（Ｃ）、水、有機溶媒、及び任意に存在する更なる成分の量は、それぞれ合計して１００質量％になる。
【００７６】
成分（Ａ）及び（Ｂ）又は（Ａ）及び（Ｃ）又は（Ａ）、（Ｂ）及び（Ｃ）に加え、本発明に従う混合物は任意に、無機又は有機塩基、無機酸、シリコーンオイル、ワックス、イミダゾリウム塩、及びこれらの混合物から成る群から選ばれる更なる成分を含むことができる。
【００７７】
本発明に従い使用することができる無機塩基の例は、水酸化カリウム、及び／又は水酸化ナトリウムである。これらは例えば、合計混合物に対して１〜５質量％の量で存在する。
【００７８】
本発明に従い使用することができる有機塩基の例は、アミンである。これらは、合計混合物に対して、例えば１〜５質量％の量で存在する。
【００７９】
本発明に従い使用することができる無機酸の一例は、ホウ酸である。これは例えば、合計混合物に対して、１〜５質量％の量で存在する。
【００８０】
本発明に従い使用することができるシリコンオイルの例は、２５℃での粘度が５００〜５００００ｍｍ２／ｓのものである。これらは例えば、合計混合物に対して、５〜８０質量％の量で存在する。
【００８１】
本発明に従い使用することができるワックスの例は、融点が４０℃を超えるものである。これらは、例えば、合計混合物に対して、１０〜８０質量％の量で存在する。
【００８２】
任意に存在するアルキルイミダゾリウム塩は、例えば、合計混合物に対して、０．４〜１２質量％の量で存在する。
【００８３】
極めて好ましい本発明に従う混合物は、以下のものである：
全目的型洗浄剤として使用するための混合物：
１．３．２質量％の２−プロピルアミン、７単位のエチレンオキシドでアルコキシル化（成分（Ａ））、
２．２質量％のＣ１２／Ｃ１４アルキルジメチルヒドロキシアンモニウムクロリド（水中、４９質量％強度（濃度）溶媒）（成分（Ｂ））及び
３．９４．８質量％の水。
【００８４】
硬質表面を洗浄するために使用するための混合物：
１．５質量％の２−プロピルアミン、７単位のエチレンオキシドでアルコキシル化（成分（Ａ））、
２．５質量％のエチルヘキサン酸（成分（Ｃ））及び
３．９０質量％の水。
【００８５】
金属表面の洗浄するために使用するための混合物：
１．２質量％のホウ酸、
２．２質量％の、５０％強度（濃度）ＫＯＨ、
３．１５質量％のＭａｚｏｘ（登録商標）ＬＤＡ（ラウラミンオキシド、水中３０％強度）（成分（Ｂ））、
４．２質量％のＬｕｔｅｎｓｏｌ（登録商標）ＯＮ３０（成分（Ｂ））、
５．１質量％の２−プロピルアミン、７単位のエチレンオキシドでアルコキシル化（成分（Ａ））及び
６．７８質量％の水。
【００８６】
ファイバーを製造するための混合物：
１．５〜８０質量％の（粘度が２５℃で、５００〜５００００ｍｍ２／ｓの）シリコーンオイル、
２．１０〜８０質量％の（融点が４０℃を超える）ワックス、
３．１〜１０質量％の（１２〜１８個の炭素原子を有する）脂肪酸（成分（Ｃ））、
４．０．４〜１２質量％のアルキルイミダゾリウム塩、
５．１〜１０質量％の２−プロピルアミン、７単位のエチレンオキシドでアルコキシル化（成分（Ａ））及び
６．残りの水。
【００８７】
本発明は、個々の成分を、それぞれの量で組合せることにより、本発明に従う規定された混合物を製造するための方法にも関する。本発明に従う、この目的のための装置は、この技術分野の当業者にとって公知である。本発明に従う方法は、室温で、又は温度を上昇させて行うことができる。
【００８８】
本発明は、本発明に従う混合物を、洗浄組成物中に、さび除去剤として、乳化剤として、ファイバーの製造の間に、革処理に、印刷インクに、建設化学用の処方物中に、又はフローテション用の処方物中に使用する方法にも関する。これらの使用方法について、一般式（Ａ）及び（ＡＱ）の化合物の使用について記載したものが適用可能である。
【００８９】
以下に、実施例を使用して本発明を詳細に説明する。
【実施例】
【００９０】
実施例１（比較例）：
従来技術から公知の、以下の組成を有する車洗浄処方物を使用した：
１０質量％のベンゼンスルホン酸、Ｃ１０−１３−アルキル誘導体、水中ナトリウム塩（５０％）
２０質量％の（１２ＥＯを有する）オレイルアミンエトキシレート、
１２．５質量％の、水中ラウリル／ミストリルトリメチルアンモニウムメトサルフェート（３０％強度）及び
５７．５質量％の脱塩水。
【００９１】
実施例２（本発明に従う）：
実施例１の処方物で、１２ＥＯを有するオレイルアミンエトキシレートを、当量の２−プロピルヘプチルアミン−（ＥＯ）１０で置き換えた。
【００９２】
結果：
処方物の製造の間、本発明に従う２−プロピルヘプチルアミンエトキシレートは、処方物中に、相当に良好に導入することができることが観察できた。１２ＥＯを有するオレイルアミンエトキシレートは、これが処方物中に溶解するのに、より長い時間を必要とした。
【００９３】
更に、実施例１及び実施例２に従う処方物の洗浄性能を、Ｓｈｅｅｎ（マルチトラック ワイピング装置）を使用して測定した。洗浄性能は、両方の処方物について同じであった；実施例２に従う処方物はより発泡したが、しかし、試験プレートをすすぎ洗いした後、両方は同じであると評価された。
【００９４】
まとめると、実施例２に記載されたような、本発明に従う処方物は、実施例１に記載したような、従来技術から公知の処方物の良好な洗浄性能と、少なくとも同等の洗浄性能を示すと言うことができる。更に、本発明に従う処方物は、洗浄性能を損なうことなく、より良好な処方性(formulatability)を示す。
【国際調査報告】
2013539474.tif 000006
2013539474.tif 000007
2013539474.tif 000008
2013539474.tif 000009
2013539474.tif 000010
2013539474.tif 000011